(57)【要約】【課題】  硫化水素を含有するガスから苛性ソーダ水溶液を用いて硫化水素を除去する方法であって、硫化水素を含有するガス中のアルデヒドまたはケトンの存在で吸収塔で発生するアルドール縮合反応による重合物の生成を低減し吸収塔の汚れを低減することができるという優れた効果を有する硫化水素の除去方法を提供する。【解決手段】  下記の工程を含む硫化水素の除去方法。  工程１：硫化水素を含有するガスを吸収塔において苛性ソーダ水溶液と接触させ、硫化水素を水硫化ソーダ（ＮａＳＨ）に変換し、水硫化ソーダを含む水相（２）を得る工程  工程２：水硫化ソーダを含む水相（２）を工程１の吸収塔の外に導き、苛性ソーダ水溶液と接触させ、水硫化ソーダを硫化ソーダ（Ｎａ２Ｓ）に変換し、硫化ソーダを含む水相（３）を得る工程  工程３：硫化ソーダを含む水相（３）を燃焼させる工程【選択図】  図１
2005200456.tif 000002
【特許請求の範囲】
【請求項１】
硫化水素（Ｈ２Ｓ）を含有するガス（１）から苛性ソーダ（ＮａＯＨ）水溶液を用いて硫化水素を除去する方法であって、下記の工程を含む硫化水素の除去方法。
工程１：硫化水素を含有するガスを吸収塔において苛性ソーダ水溶液と接触させ、硫化水素を水硫化ソーダ（ＮａＳＨ）に変換し、水硫化ソーダを含む水相（２）を得る工程
工程２：水硫化ソーダを含む水相（２）を工程１の吸収塔の外に導き、苛性ソーダ水溶液と接触させ、水硫化ソーダを硫化ソーダ（Ｎａ２Ｓ）に変換し、硫化ソーダを含む水相（３）を得る工程
工程３：硫化ソーダを含む水相（３）を燃焼させる工程
【請求項２】
硫化水素を含有するガス（１）が炭化水素を熱分解して得られる分解ガスである請求項１記載の方法。
【発明の詳細な説明】
【技術分野】
【０００１】
本発明は、硫化水素（Ｈ２Ｓ）の除去方法に関するものである。更に詳しくは、本発明は、硫化水素を含有するガスから苛性ソーダ（ＮａＯＨ）水溶液を用いて硫化水素を除去する方法であって、硫化水素を含有するガス中のアルデヒドまたはケトンの存在で吸収塔で発生するアルドール縮合反応による重合物の生成を低減し吸収塔の汚れを低減することができるという優れた効果を有する硫化水素（Ｈ２Ｓ）の除去方法に関するものである。
【背景技術】
【０００２】
硫化水素を含有するガスから苛性ソーダ水溶液を用いて硫化水素を除去する方法は公知である（たとえば、非特許文献１参照。）。
【０００３】
しかしながら、従来の技術においては、硫化水素を含有するガスを吸収塔において苛性ソーダ水溶液と接触させ、硫化水素を水硫化ソーダ（ＮａＳＨ）に変換し、水硫化ソーダを含む水相（２）を得る工程と水硫化ソーダを含む水相（２）を苛性ソーダ水溶液と接触させ、水硫化ソーダを硫化ソーダ（Ｎａ２Ｓ）に変換し、硫化ソーダを含む水相（３）を得る工程は通常、同一の吸収塔において行われている。このため、吸収塔内部のアルカリ度が高く、吸収塔においてアルデヒドまたはケトンの存在によるアルドール縮合反応により重合物が生成しやすい環境となり吸収塔内部のトレイが汚れるという問題点があった。
【０００４】
【非特許文献１】化学工学協会編「化学工学便覧」改訂五版 丸善(株)、昭和６３年３月１８日、ｐ５２３−５３３
【発明の開示】
【発明が解決しようとする課題】
【０００５】
かかる状況において、本発明が解決しようとする課題は、硫化水素を含有するガスから苛性ソーダ水溶液を用いて硫化水素を除去する方法であって、硫化水素を含有するガス中のアルデヒドまたはケトンの存在で吸収塔で発生するアルドール縮合反応による重合物の生成を低減し吸収塔の汚れを低減することができるという優れた効果を有する硫化水素（Ｈ２Ｓ）の除去方法を提供する点にある。
【課題を解決するための手段】
【０００６】
すなわち、本発明は、硫化水素（Ｈ２Ｓ）を含有するガス（１）から苛性ソーダ（ＮａＯＨ）水溶液を用いて硫化水素を除去する方法であって、下記の工程を含む硫化水素の除去方法に係るものである。
工程１：硫化水素を含有するガスを吸収塔において苛性ソーダ水溶液と接触させ、硫化水素を水硫化ソーダ（ＮａＳＨ）に変換し、水硫化ソーダを含む水相（２）を得る工程
工程２：水硫化ソーダを含む水相（２）を工程１の吸収塔の外に導き、苛性ソーダ水溶液と接触させ、水硫化ソーダを硫化ソーダ（Ｎａ２Ｓ）に変換し、硫化ソーダを含む水相（３）を得る工程
工程３：硫化ソーダを含む水相（３）を燃焼させる工程
【発明の効果】
【０００７】
本発明により、硫化水素を含有するガスから苛性ソーダ水溶液を用いて硫化水素を除去する方法であって、硫化水素を含有するガス中のアルデヒドまたはケトンの存在で吸収塔で発生するアルドール縮合反応による重合物の生成を低減し吸収塔の汚れを低減することができるという優れた効果を有する硫化水素の除去方法を提供することができる。
【発明を実施するための最良の形態】
【０００８】
以下、図１を参照して説明する。
【０００９】
本発明が対象とする硫化水素を含有するガスとしては、炭化水素を熱分解して得られる分解ガスを例示することができる。
【００１０】
ガスの種類としては、主成分はエチレン、プロピレンで、微量成分として硫化水素、アルデヒド等を含むガス等をあげることができる。
【００１１】
ガス中の硫化水素の濃度は、通常６０〜２００ｐｐｍである。
【００１２】
本発明の工程１は、硫化水素を含有するガスを吸収塔において苛性ソーダ水溶液と接触させ、硫化水素を水硫化ソーダ（ＮａＳＨ）に変換し、水硫化ソーダを含む水相（２）を得る工程である。
【００１３】
吸収塔の形式としては、ガス分散型の段塔等をあげることができる。
【００１４】
苛性ソーダ水溶液の濃度は、通常８〜１０ｗｔ％である。
【００１５】
硫化水素を含有するガスを吸収塔において苛性ソーダ水溶液と接触させる条件としては、通常のものを採用することができるが、水溶液温度３０〜４３℃、塔頂圧力７５０〜８００ｋＰａＧをあげることができる。
【００１６】
本発明の工程２は、水硫化ソーダを含む水相（２）を工程１の吸収塔の外に導き、苛性ソーダ水溶液と接触させ、水硫化ソーダを硫化ソーダ（Ｎａ２Ｓ）に変換し、硫化ソーダを含む水相（３）を得る工程である。
【００１７】
工程２で用いる苛性ソーダ水溶液の濃度は、通常約２０ｗｔ％である。工程２を実施するための設備としては、配管でのミキシング等をあげることができる。工程２を実施する条件としては、通常のものを採用することができるが、水溶液温度３０〜４３℃、圧力大気圧をあげることができる。
【００１８】
本発明の工程３は、硫化ソーダを含む水相（３）を燃焼させる工程である。工程３を実施するための設備としては、インシネレーター等をあげることができる。工程３を実施する条件としては、通常のものを採用することができるが、燃焼に際してＳＯｘの発生を防止するため、水相（３）に水硫化ソーダが存在していないことが条件となる。
【実施例】
【００１９】
次に本発明を実施例により説明する。
【００２０】
実施例１
図１のフローで示される装置を用いた。
硫化水素を含有するガスとしては、炭化水素を熱分解して得られる分解ガスを用いた。ガスの組成は、主成分はエチレン、プロピレンであり、微量成分として硫化水素、アルデヒド等を含むガス（１）であった。
工程１として、硫化水素を含有するガス（１）を吸収塔において苛性ソーダ水溶液と接触させ、硫化水素を水硫化ソーダに変換し、水硫化ソーダを含む水相（２）を得た。吸収塔としては、段塔を用い、苛性ソーダ水溶液の濃度は９ｗｔ％であった。硫化水素を含有するガス（１）を吸収塔において苛性ソーダ水溶液と接触させる条件としては、水溶液温度３５℃、塔頂圧力７７０ｋＰａＧとした。
工程２として、水硫化ソーダを含む水相（２）を工程１の吸収塔の外に導き、苛性ソーダ水溶液と接触させ、水硫化ソーダを硫化ソーダに変換し、水硫化ソーダを含まず硫化ソーダを含む水相（３）を得た。苛性ソーダ水溶液の濃度は、約２０ｗｔ％であり、設備としては、配管によるミキシングを行い、水溶液温度３５℃、圧力は大気圧とした。
工程３として、水硫化ソーダを含まず硫化ソーダを含む水相（３）を燃焼させた。設備としてはインシネレーターを用いた。
【図面の簡単な説明】
【００２１】
【図１】実施例１で用いたフローの概略を示す図である。
【符号の説明】
【００２２】
（１）  硫化水素を含有するガス
（２）  水硫化ソーダを含む水相
（３）  硫化ソーダを含む水相
【図１】
2005200456.tif 000003